(57)【特許請求の範囲】
【請求項１】
鉄骨系住宅の梁のところに設けられるものであって、弾性体を形成するゴム部及び質量体を形成するマスからなるダイナミックダンパ型の住宅用制振装置において、上記ダイナミックダンパを形成するゴム部の取付けられる基礎を成すとともに本ダイナミックダンパを梁に取り付けるための取付ブラケットの役目を果たすベース部材、及び当該ベース部材のところに所定のバネ定数を有するゴム部を一体的に有するとともに当該ゴム部の上記ベース部材の設けられる側とは反対の側に当該ゴム部と一体的に上記マスを保持するマス受け部材を設け、当該マス受け部材のところに張り出し部を設けるとともに当該張り出し部のところに係合穴を設け、一方、上記ベース部材の一部には、当該ベース部材の一部を上方に突出させるとともに、その端部をフック状に折り曲げることによって形成されるフック状の先端部を有する係合部を設けるようにし、このような係合部を形成する上記フック状の先端部のところを上記係合穴に係合させることによって、マスの脱落を防止するための係合手段を設けるようにしたことを特徴とする住宅用制振装置。
【発明の詳細な説明】
【０００１】
【発明の属する技術分野】
本発明は、鉄骨系住宅における梁の制振を目的に用いられる制振装置に関するものであり、特に、所定の質量を有するマスと所定のバネ定数を有する弾性体とからなるダイナミックダンパ方式の住宅用制振装置に関するものである。
【０００２】
【従来の技術】
一般に、鉄骨系の住宅においては、その骨格を形成する柱、梁等にＨ形鋼あるいはＣ形鋼等からなる鉄骨材が用いられるようになっている。従って、木造住宅等に較べて、その床及び天井等に関して減衰力（減衰特性）が劣ると言う問題点がある。このような点を考慮して、上記梁等にダイナミックダンパ型の制振装置を設けるようにしたものが、例えば、特開平１２−３５５９９４号公報等により公表され、既に公知となっている。
【０００３】
【発明が解決しようとする課題】
ところで、上記従来のものにおいては、ダイナミックダンパ型制振装置を形成するマスの脱落防止機構が、ベースプレート側に設けられたフック部及びマス側に設けられた係合リセス部等からなるものであり、その構造が複雑な構成からなるものである。従って、生産性が良くなく、製造コストが高くならざるを得ないと言う問題点がある。このような問題点を解決するために、上記脱落防止機構部を初めとした上記ダイナミックダンパを形成する各部材（パーツ）を、単純な形状のものからなるようにし、これによって全体の製造コストの低減化を図るようにしたダイナミックダンパ型の住宅用制振装置を提供しようとするのが、本発明の目的（課題）である。
【０００４】
【課題を解決するための手段】
上記課題を解決するために、本発明においては次のような手段を講ずることとした。すなわち、請求項１記載の発明においては、鉄骨系住宅の梁のところに設けられるものであって、弾性体を形成するゴム部及び質量体を形成するマスからなるダイナミックダンパ型の住宅用制振装置に関して、上記ダイナミックダンパを形成するゴム部の取付けられる基礎を成すとともに本ダイナミックダンパを梁に取り付けるための取付ブラケットの役目を果たすベース部材、及び当該ベース部材のところに所定のバネ定数を有するゴム部を一体的に有するとともに当該ゴム部の上記ベース部材の設けられる側とは反対の側に当該ゴム部と一体的に上記マスを保持するマス受け部材を設け、当該マス受け部材のところに張り出し部を設けるとともに当該張り出し部のところに係合穴を設け、一方、上記ベース部材の一部には、当該ベース部材の一部を上方に突出させるとともに、その端部をフック状に折り曲げることによって形成されるフック状の先端部を有する係合部を設けるようにし、このような係合部を形成する上記フック状の先端部のところを上記係合穴に係合させることによって、マスの脱落を防止するための係合手段を設けるようにした構成を採ることとした。
【０００５】
このような構成を採ることにより、本発明のものにおいては、本制振装置全体の製造コストの低減化を図ることができるようになる。すなわち、本発明のものにおいては、単純な形態からなるマスをマス受け部材にて保持するとともに、このようなマス受け部材、または梁への取付部材の役目を果たすベース部材のいずれか一方側の部材に設けられた係合穴のところに、残りのもう一方側の部材に設けられた係合部、例えばフック部等からなる係合手段を係合させることによって、マスの脱落防止機構を形成させることができるようになり、マスの脱落防止機構を含めた全体の構成を簡単な機構にて形成させることができるようになる。このようなことから、本ダイナミックダンパ型住宅用制振装置全体の製造コストの低減化を図ることができるようになる。
【０００７】
【発明の実施の形態】
本発明の実施の形態について、図１ないし図５を基に説明する。そのうちの第一の実施形態に関するものは、図１に示す如く、弾性体を形成するゴム部１及び質量体を形成するマス２からなるダイナミックダンパ１０を基礎に形成されるものである。そして、このようなダイナミックダンパ１０のところには、鉄骨からなる梁９のところに取付けるための取付ブラケットの役目を果たすベース部材３、及び上記ゴム部１を介して上記ベース部材３の設けられる側とは反対の側に上記ゴム部１と一体的に設けられるとともに上記マス２の取付けに供せられるマス受け部材５が設けられるようになっている。そして、このマス受け部材５のところには、当該マス受け部材５の一部を張り出させることによって形成される張り出し部のところに所定の形態からなる係合穴５５が設けられるようになっている。そして更に、上記ベース部材３の一部には、当該ベース部材３の一部を上方に突出させるとともにその先端部をフック状に折り曲げることによって形成されるフック状の先端部３３３を有する係合部３３が設けられるようになっている。このような形態からなる上記フック状の係合部３３を上記係合穴５５内に挿通させることによってマス脱落防止機構７が形成されるようになっているものである。
【０００８】
このような構成からなるものにおいて、上記ダイナミックダンパ１０を形成する各部材（パーツ）の具体的構成について、図１を基に説明する。まず、マス２は、鋳鉄あるいは所定の厚さを有する鉄板等を基礎に、これを所定の大きさに切り出すことによって形成されるブロック状のものからなるものである。そして、このようなマス２を保持するマス受け部材５は、図１の（Ａ）に示す如く、所定の鋼板をプレス成形手段等にて所定の形態に成形加工するとともに、それと同時に、その一部にクリップ状のマス保持部５１を一体的に形成させるようにしているものである。そして、このマス保持部５１の一部に、所定の形態からなるものであって後に述べる係合部（係合手段）３３の挿入される係合穴５５が設けられるようになっているものである。
【０００９】
また、上記構成からなるマス受け部材５と対をなすように設けられるベース部材３は、図１の（Ａ）に示す如く、上記マス受け部材５と同様、鋼板を基礎に所定のプレス成形手段等にて形成されるものであって、バネ系を形成するゴム部１の取付けられる基礎となるベース部３５と、当該ベース部３５に対して直角に折り曲げ成形加工されることによって形成されるものであって本ダイナミックダンパ１０の梁９への取付けに寄与する取付部３１と、からなることを基本とするものである。このような構成からなるものにおいて、上記ベース部３５の一部からは、当該ベース部３５に対して直立状に上方に突出するように係合部３３が設けられるようになっている。この係合部３３の先端部３３３はフック状に折れ曲がっており、本係合部３３が、図１の（Ｂ）に示す如く、上記マス受け部材５に設けられた係合穴５５内に挿入された状態において、ここのところに係合するようになっているものである。従って、このような係合穴５５内に係合部３３が係合することによって、本ダイナミックダンパ１０のマス脱落防止機構７が形成されることとなる（図１の（Ｃ）参照）。
【００１０】
このような構成からなるマス受け部材５とベース部材３との間には、図１の（Ａ）に示す如く、所定のバネ定数を有するゴム部１が設けられるようになっている。このゴム部１は、図１の（Ｂ）に示す如く、所定の加硫接着手段等を用いて上記マス受け部材５とベース部材３との間に、これら両部材３、５と一体的に形成されるようになっているものである。なお、この加硫接着手段によるゴム部１の形成に当たっては、上記ベース部材３側に設けられた係合部３３を上記マス受け部材５側に設けられた係合穴５５のところに予め挿通させておくようにする。そして、このように、マス受け部材５とベース部材３とが、間にゴム部１を有した状態で一体化されたものの、そのマス受け部材５に形成されたクリップ状のマス保持部５１のところに、図１の（Ｂ）に示す如く、マス２を装着するとともに、上記マス保持部５１と上記マス２との接触部のところに所定の溶接手段８を用いて両者２、５１を結合させる。また、このようにして一体化された上記ベース部材３の、その一部に形成された係合部３３の先端部３３３のところに、所定のゴム材または軟質プラスチック材等からなるプロテクタ６を装着する。これによってダイナミックダンパ１０が形成されることとなる（図１の（Ｃ）参照）。
【００１１】
次に、このような構成からなるダイナミックダンパ１０の梁９への装着手順について、図２及び図３を基に説明する。まず、図２に示す如く、上記構成からなるダイナミックダンパ１０を梁９のところに持って行き、本ダイナミックダンパ１０を形成するベース部材３の取付部３１のところに設けられた装着穴３１９のところに、上記梁９に設けられた装着ボルト９１を挿通させる。そして、このような状態において、上記装着ボルト９１のところに所定の締結ナット９２を装着し、これを締め付ける。これによって、本ダイナミックダンパ１０は梁９のところに装着されて、ダイナミックダンパ型の住宅用制振装置が形成されることとなる（図３参照）。そして、この住宅用制振装置においては、図３に示す如く、ベース部材３のところに設けられたフック状の先端部３３３を有する係合部（係合手段）３３が、マス２と一体的に形成されたマス受け部材５に設けられた係合穴５５に、常時係合するようになり、マス２の脱落防止機構７が形成されることとなる。また、上記係合部３３の先端部３３３のところには軟質プラスチック材等からなるプロテクタ６が設けられるようになっており、本ダイナミックダンパ１０の作動時等において、上記係合部３３周りからの金属接触音の発生等が抑止されることとなる。
【００１２】
次に、本発明の第二の実施形態について、図４及び図５を基に説明する。このものも、その基本的な点は上記第一の実施形態のものと同じである。異なるところはマス脱落防止機構７に関する点である。すなわち、本実施の形態のものは、鋼板等の打ち抜き部材からなる平板状のベース部材３と、同じく鋼板製のプレス成形品からなるマス受け部材５と、これら両部材３、５間にあって加硫接着手段等にて上記両部材３、５と一体的に設けられるゴム部１と、上記マス受け部材５に溶接手段８等を介して一体的に取付けられるものであって所定の質量を有するマス２と、からなることを基本とするものである。
【００１３】
このような構成からなるものにおいて、上記マス受け部材５及びベース部材３の一部、具体的には、上記両部材３、５の平板状部の側端部のところに、図４に示す如く、同ピッチ状に挿通穴５９、３９が設けられるようになっているものである。そして、この挿通穴５９、３９は、図４の（Ａ）、（Ｂ）に示す如く、その穴径の値は、マス受け部材５側に設けられるもの（５９）の方が、ベース部材３側に設けられるもの（３９）よりも大きく設定されているものである。具体的には、ベース部材３側に設けられるもの（３９）は、図５に示す装着ボルト９１が挿通されるに十分な径を有するものであれば良いが、マス受け部材５側に設けられるもの（５９）は、上記装着ボルト９１に取付けられる締結ナット９２及び当該締結ナット９２を締付けるためのナットランナ用ソケット等が挿通され得る程度の十分なバカ穴径を有するように設定される必要がある。
【００１４】
このような構成からなるマス受け部材５とベース部材３との間に加硫接着手段等を介してゴム部１が一体的に設けられるとともに、このような構成からなるものの、そのマス受け部材５を形成するマス保持部５１のところに、図４の（Ｂ）に示す如く、所定の形態からなるマス２が装着され、更には、この装着部のところに所定の溶接手段８が施されることによって、所定の固有振動数を有するダイナミックダンパ１０が形成されることとなる（図４の（Ｃ）参照）。
【００１５】
次に、このような構成からなる本実施の形態にかかるダイナミックダンパ１０の梁９への装着手順について、図５を基に説明する。すなわち、上記ダイナミックダンパ１０を梁９のところに持って行くとともに、当該梁９に設けられたブラケット９９のところに直立状に設けられた装着ボルト９１のところに、上記ダイナミックダンパ１０を装着させる。具体的には、図５の（Ａ）に示す如く、上記ダイナミックダンパ１０を形成するベース部材３及びマス受け部材５に設けられた両挿通穴３９、５９内へ、上記梁９側に設けられた装着ボルト９１を挿通させる。そして、このような状態において、上記装着ボルト９１のところであって上記ベース部材３側に形成された挿通穴３９のところに締結ナット９２を装着する（締結する）。これによって、本ダイナミックダンパ１０の梁９への装着が行われる。このような状態において、図５の（Ｂ）に示す如く、上記装着ボルト９１のところに、ゴム材または軟質プラスチック材等からなるプロテクタ６を装着する。これによって、このプロテクタ６の装着された装着ボルト９１の部分が、上記マス受け部材５に設けられた挿通穴５９と常時係合するようになり、これら両部材９１、５９にて、マス脱落防止機構７が形成されることとなる。このようにして、最終的には、図５の（Ｃ）に示す如く、マス脱落防止機構７を有するダイナミックダンパ型の住宅制振装置が梁９のところに装着されることとなる。
【００１６】
【発明の効果】
本発明によれば、鉄骨系住宅の梁のところに設けられるものであって、弾性体を形成するゴム部及び質量体を形成するマスからなるダイナミックダンパ型の住宅用制振装置に関して、上記ダイナミックダンパを形成するゴム部の取付けられる基礎を成すとともに本ダイナミックダンパを梁に取り付ける役目を果たすベース部材、及び当該ベース部材のところに所定のバネ定数を有するゴム部を一体的に有するとともに当該ゴム部の上記ベース部材の設けられる側とは反対の側に当該ゴム部と一体的に上記マスを保持するマス受け部材を設け、更に、上記ベース部材またはマス受け部材のいずれか一方側に係合穴を設けるとともに残りのもう一方側の部材に上記係合穴に挿通されて上記マスが脱落しないように係合する係合手段を設けるようにした構成を採ることとしたので、マスの脱落防止機構を、一方の部材に設けられた係合穴と、もう一方側の部材に設けられたフック状の係合部とに形成させることができるようになり、簡単な機構にてマス脱落防止機構を有するダイナミックダンパ型の住宅用制振装置を低コストにて形成（製造）することができるようになった。
【００１７】
また、本発明においては、ダイナミックダンパ型の住宅用制振装置に関して、ダイナミックダンパを形成するベース部材及びマス受け部材のそれぞれに、本ダイナミックダンパ型制振装置を梁に装着するためのものであって当該梁に設けられた装着ボルトが挿通されるように形成されるとともに上記マス受け部材に形成されるものの方が大きな穴径を有するように形成された挿通穴を設け、このような構成からなる上記挿通穴のところに上記装着ボルトを挿通させた後に、上記ベース部材側に形成された挿通穴のところに所定のナットを締結して本ダイナミックダンパを梁に固定するようにした構成を採ることとしたので、簡単な構造にてマス脱落防止機構を形成させることができるようになり、ダイナミックダンパ型住宅用制振装置の製造コストの低減化を図ることができるようになった。
【図面の簡単な説明】
【図１】本発明の第一の実施形態にかかるものの、その全体構成を示す展開斜視図である。
【図２】第一の実施形態にかかるものの梁への装着手順を示す図である。
【図３】第一の実施形態にかかるものの梁への装着状態を示す図である。
【図４】第二の実施形態にかかるものの、その全体構成を示す展開斜視図である。
【図５】第二の実施形態にかかるものの梁への装着手順を示す図である。
【符号の説明】
１  ゴム部
２  マス
３  ベース部材
３１  取付部
３１９  装着穴
３３  係合部（係合手段）
３３３  先端部
３５  ベース部
３９  挿通穴
５  マス受け部材
５１  マス保持部
５５  係合穴
５９  挿通穴
６  プロテクタ
７  マス脱落防止機構
８  溶接手段
９  梁
９１  装着ボルト
９２  締結ナット
９９  ブラケット
１０  ダイナミックダンパ
【図１】
0003838428.tif 000002
【図２】
0003838428.tif 000003
【図３】
0003838428.tif 000004
【図４】
0003838428.tif 000005
【図５】
0003838428.tif 000006